(57)【要約】【課題】吸込具と延長管などの付け替え時に吸込具に触れることなく、また、吸込具の収納が掃除作業の延長で行うことができる、衛生的で使用性に優れた吸込具を提供することを目的とする。【解決手段】先端部に延長管１３を接続可能とする接続部２０ａを有すると共に後端部が吸引装置に接続される連通管２０と、一端が連通管２０の先端部に回動自在に枢機されたブラシホルダー２３とからなり、ブラシホルダー２３は、下方及び前後が開口し断面が逆Ｕ字状に形成され、連通管２０に延長管１３を接続した際に、ブラシホルダー２３が延長管１３の端部を上方より覆うように構成した。【選択図】図２
2010099165.tif 000002
【特許請求の範囲】
【請求項１】
先端部に接続管を接続可能とする接続部を有すると共に後端部が吸引装置に接続される連通管と、一端が前記連通管の先端部に回動自在に枢機された吸込部材とからなり、前記吸込部材は、下方及び前後が開口し断面が逆Ｕ字状に形成され、前記連通管に接続管を接続した際に、前記吸込部材が前記接続管の端部を上方より覆うことを特徴とする吸込具。
【請求項２】
吸込部材は、前後の軸線が連通管の軸線に対して上下略９０°の角度範囲で回動自在に構成したことを特徴とする請求項１に記載の吸込具。
【請求項３】
回動範囲内で少なくとも１ヶ所以上の角度にて位置固定を可能にする保持機構を有したことを特徴とする請求項２に記載の吸込具。
【請求項４】
保持機構で固定される角度に、吸込部材下方の吸込口面と連通管に設けた使用時に握る把手部の軸線とが略並行になる位置を設定したことを特徴とする請求項３に記載の吸込具。
【請求項５】
吸込部材は、前方の開口を塞ぐ前壁を備え、前記前壁は、上部に回動軸を有して吸込部材内部に回動して収納自在としたことを特徴とする請求項１〜４のいずれか１項記載の吸込具。
【請求項６】
前壁は、弾性体により反収納側に附勢されていることを特徴とする請求項５項記載の吸込具。
【請求項７】
吸込部材下方の開口の周囲に清掃用軟質材を配置したことを特徴とする請求項１〜６のいずれか１項に記載の吸込具。
【請求項８】
請求項７に記載の吸込具に接続した際に、清掃用軟質材を覆う収納部を形成した接続管。
【請求項９】
吸引力を発生する電動送風機と前記電動送風機の吸気上流に配設され塵埃を捕集する集塵室を有する本体と、前記集塵室の吸気口部に接続される本体接続部を有する連通管と、請求項１〜７のいずれか１項に記載の吸込具とからなる電気掃除機。
【発明の詳細な説明】
【技術分野】
【０００１】
本発明は、電気掃除機などの吸引装置に接続されて使用する吸込具およびこの吸込具と接続される接続管及びこれを用いた電気掃除機に関するものである。
【背景技術】
【０００２】
従来のこの種の吸込具は、電気掃除機の集塵室と連通したホースとホースの先端に設けた先端パイプとこの先端パイプに接続される延長管、床用吸込具などを有した電気掃除機に、ブラシノズルや隙間ノズルとして前記先端パイプや延長管の先端に着脱自在に取付けられるものであった。その構成としては先端パイプや延長管の先端部などに設けた取付け部に回動自在・摺動自在・着脱自在に接続可能な形態が一般的であった（例えば、特許文献１〜５参照）。
【特許文献１】特開２０００−０７０１８７号公報
【特許文献２】特開２０００−２７９３５２号公報
【特許文献３】特許第３２１３６０８号公報
【特許文献４】特許第３３４４１３６号公報
【特許文献５】特開２００３−４３０１２３号公報
【発明の開示】
【発明が解決しようとする課題】
【０００３】
しかしながら、上記構成では、ブラシノズルや隙間ノズルなどの吸込具を先端パイプに装着する時には、まず、先端パイプから延長管を取り外した後、吸込具を握り収納場所から取り外し、または回動させて先端パイプに装着する必要があった。また、吸込具を先端パイプに対して正しい位置に装着しないと吸込具の吸込口が意図しない方向に向くため、使いにくいという欠点があり、位置決めのし易さが課題であった。さらには先端パイプから取り外す時には、上記とは逆に先端パイプから吸込具を握り吸込具を取り外してまたは回動させて収納場所に収納した後、先端パイプに延長管を装着する必要があり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題があった。また、吸込具の吸込口の角度が固定されており、吸込具の吸込口の角度が可動できる構成でも手で角度調整する必要があり、やはり、不衛生であるとともに使用性が悪いという課題がある。
【０００４】
他の従来の構成としても、吸込具を先端パイプなどの先端に回動あるいは摺動させて付け替え、収納ができるものがあり、先端パイプに対する吸込具の接続の位置決めは改善されてはいるが、やはり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題が残っている。また、延長管への吸込具の着脱においても同様に床用吸込具の着脱と吸込具の着脱が必要であった。
【０００５】
本発明は上記課題を解決するもので、吸込具と延長管などの付け替え時に吸込具に触れることなく、また、吸込具の収納が掃除作業の延長で行うことができる、衛生的で使用性に優れた吸込具を提供することを目的とするものである。
【課題を解決するための手段】
【０００６】
上記従来の課題を解決するために、本発明の吸込具は、先端部に接続管を接続可能とする接続部を有すると共に後端部が吸引装置に接続される連通管と、一端が前記連通管の先端部に回動自在に枢機された吸込部材とからなり、前記吸込部材は、下方及び前後が開口し断面が逆Ｕ字状に形成され、前記連通管に接続管を接続した際に、前記吸込部材が前記接続管の端部を上方より覆うことを特徴とするもので、通常使用状態では、連通管と接続管を接続して使用し、吸込部材を接続管の外郭を覆うように位置させて吸込部材を収納状態とし、連通管から接続管を取り外すと、同時に吸込部材の吸込口が露出して直ぐ吸込具として塵埃の吸込みが行え、使い勝手が非常に良いものである。さらには、接続管を取付ける時には、吸込部材をそのままの状態で連通管に接続管を接続するだけで良く、吸込具の使用状態、収納状態が延長管の着脱動作と連動及び使用動作の延長で行うことができ、吸込具に触れることなく、衛生的で使用性に優れた吸込具を提供することができる。
【発明の効果】
【０００７】
本発明は吸込具の使用状態、収納状態の選択が延長管の着脱動作と使用動作の延長で行え、着脱動作が少なく、また、吸込具に触れることがないため、衛生的で使用性に優れた吸込具を提供することができるものである。
【発明を実施するための最良の形態】
【０００８】
第１の発明は、先端部に接続管を接続可能とする接続部を有すると共に後端部が吸引装置に接続される連通管と、一端が前記連通管の先端部に回動自在に枢機された吸込部材とからなり、前記吸込部材は、下方及び前後が開口し断面が逆Ｕ字状に形成され、前記連通管に接続管を接続した際に、前記吸込部材が前記接続管の端部を上方より覆うことを特徴としたことにより、電気掃除機の通常使用状態では、連通管と接続管を接続して使用し、吸込部材を接続管の外郭を覆うように位置させて吸込部材を収納状態とし、連通管から接続管を取り外すと同時に吸込部材の吸込口が露出して吸込具として直ぐ吸込具として塵埃の吸込みが行え、使い勝手が非常に良いものである。さらには、接続管を取付ける時には、吸込部材をそのままの状態で連通管に接続管を接続するだけで良く、吸込具の使用状態、収納状態が延長管の着脱動作と連動及び使用動作の延長で行うことができ、吸込具に触れることなく、衛生的で使用性に優れた吸込具を提供するものである。
【０００９】
第２の発明は、特に第１の発明において、吸込部材は、前後の軸線が連通管の軸線に対して上下略９０°の角度範囲で回動自在に構成したことを特徴とすることにより、下面の掃除や棚、家具などの上面の掃除も容易に行うことが出来、吸込具として使用性のさらなる向上と掃除範囲の拡大が図れるものである。
【００１０】
第３の発明は、特に第２の発明において、回動範囲内で少なくとも１ヶ所以上の角度にて位置固定を可能にする保持機構を有したことを特徴とすることにより、連通管に対して吸込部材を所定の角度で保持する為、使い勝手の向上が図れるものである。
【００１１】
第４の発明は、特に第３の発明において、保持機構で固定される角度に、吸込部材下方の吸込口面と連通管に設けた使用時に握る把手部の軸線とが略並行になる位置を設定したことを特徴とすることにより、把手を握って吸込具での掃除を行う時に床面に対して把手部が並行となり、吸込具を操作させ易い自然な角度であるため、掃除作業の負担を低減させて使用性の向上が図れるものである。
【００１２】
第５の発明は、特に第１〜４のいずれか１つの発明において、吸込部材は、前方の開口を塞ぐ前壁を備え、前記前壁は、上部に回動軸を有して吸込部材内部に回動して収納自在としたことを特徴とすることで、吸込部材の前方から接続管を挿入することが可能となり、前壁による吸込部材の吸込口を形成するとともに吸込部材に触れること無く、接続管を連通管に接続することが出来、吸込み性能を維持しながら、清潔な吸込部材を提供することが出来るものである。
【００１３】
第６の発明は、特に第５の発明において、前壁は、弾性体により反収納側に附勢されていることを特徴とすることにより、吸込部材から接続管を取外すことで弾性体の附勢力により、吸込部材の吸込口の前壁を自動で形成するとともに接続管を吸込部材の前方から挿入することにより接続管を連通管に接続することが出来、吸込み性能を維持しながら、清潔な吸込部材を提供することが出来るものである。
【００１４】
第７の発明は、特に第１〜６のいずれか１つの発明において、吸込部材下方の開口の周囲に清掃用軟質材を配置したことを特徴とすることにより、被掃除面への傷付きを防止するとともに塵埃除去効率を向上して、使用性の向上とともに集塵性能の向上が図れるものである。
【００１５】
第８の発明は、第７に記載の発明の吸込具に接続した際に、吸込部材の清掃用軟質材を覆う収納部を形成した接続管であり、接続管に吸込部材の清掃用軟質材配設部分を覆う収納部を形成したことにより、電気掃除機の通常使用時には吸込部材の清掃用軟質材配設部分が接続管の収納部で覆うため、汚れた清掃用軟質材に手が触れにくく、また見た目にも清掃用軟質材が出て来ないので清潔で、安心の吸込み具を得ることができるものである。
【００１６】
第９の発明は、吸引力を発生する電動送風機と前記電動送風機の吸気上流に配設され塵埃を捕集する集塵室を有する本体と、前記集塵室の吸気口部に接続される本体接続部を有する連通管と、第１〜７のいずれか１つの発明の吸込具を備えたもので、電気掃除機としての掃除範囲の拡大や使用性の向上、衛生的な掃除などが容易に行えるものである。
【００１７】
以下、本発明の実施の形態について、図面を参照しながら説明する。なお、この実施の形態によりこの発明が限定されるものではない。
【００１８】
（実施の形態１）
本発明の第１の実施の形態について、図１〜図６を用いて説明する。
【００１９】
１は本体下であり、前側に塵埃を集積する集塵袋２を配置した集塵室３、後方に塵埃吸引用のモ−タ−４などを備えており、集塵袋２上方を覆う蓋体５で集塵室３を形成するとともにモーター４などを配置した上方を本体上６で覆い、電気掃除機本体（以下、本体という）７を構成している。８はホースであり、一端に本体７前部に構成した集塵室３に連通し、モーター４の吸引力による吸い込み通路を形成するフロントカバー９の吸気口１０に接続する接続パイプ１１を構成するとともに、他端に使用時に握って操作する把手１２を形成し、かつ、延長管１３を接続する為の先端パイプ１４を構成している。床面の塵埃を効率的に捕集する床用吸込具１５の吸込具管１５Ａを延長管１３の先端に着脱自在に接続して用いる。１６は本体７を持ち運びする時に握るサゲテであり、１７は本体下１の前部底面に配設したキャスターローラー（図示せず）とともに使用時に本体７を移動させるローラーであり、本体下１の後部両側面に配設されている。
【００２０】
先端パイプ１４の先端には延長管１３を取り外した時に使用できる吸込部材としての吸込具１８を構成している。前記吸込具１８は、一端に先端パイプ１４の接続口１９に接続される連通管２０と前記連通管２０の他端部に位置した回転軸Ａ２１によって両側面下端に清掃用軟質材としてのブラシ２２を植毛した吸込口としてのブラシホルダー２３を先端パイプ１４に対して回動自在に枢支し、前記ブラシホルダー２３の前部先端部には、ブラシ２２を植毛したブラシカバー２４を回転軸Ｂ２５によってブラシホルダー２３の内部に回動（収納）自在に保持され、且つフックバネ２６によってブラシホルダー２３の前方へ附勢されてリブＡ２７で位置規制され、ブラシホルダー２３の反対側には連通管２０と連通する連通部２３Ａを有している。前記フックバネ２６は一端をブラシホルダー２３の内面に保持されるとともに他端をブラシカバー２４側面に形成したストッパーＢ２４Ａによって保持されてブラシカバー２４外方への附勢力を発揮するように構成されている。
【００２１】
ブラシホルダー２３は回動軸Ａ２１近傍にストッパー２８を配置して連通管２０側面の前記ストッパー２８の相対位置に配置した複数のリブＢ２９、リブＣ３０に挟まれて、連通管２０に対して複数の所定の角度を有して位置決めが可能な構成になっている。
【００２２】
また、図４に示すように上記設定のブラシホルダー２３は連通管２０に対してストッパー２８と複数のリブＢ２９、リブＣ３０による位置決め角度αを略３０°にも設定しており、ブラシ２２と被掃除面の角度も略３０°となり、先端パイプ１４の把手１２と略平行になっている。３１は延長管１３を先端パイプ１４に接続した連通管２０に接続する時に一端に設けた凸部３２が延長管１３の凹部３３に係合し、延長管１３を保持、固定する尾錠であり、前記尾錠３１は他端に指で押さえる釦３４を形成するとともに軸３５によって回動自在に構成され、且つ釦３４近傍に圧縮バネ３６を配置し、圧縮バネ３６によって常に釦３４を上方に附勢、つまり、凸部３２を下方に附勢し、延長管１３の凹部３３に係合させる方向に力を加えている。前記先端パイプ１４、延長管１３の吸込具管１５Ａ側にも同一構成尾錠３１を配置している。
【００２３】
また、延長管１３の被接続部の外郭側面には、前記ブラシホルダー２３に配設したブラシ２２を覆うように構成されたブラシ収納部３７を設けている。
【００２４】
上記構成による作用は以下の通りである。
【００２５】
床面の掃除を行う時には、本体７の吸気口１０に接続パイプ１１を接続し、先端パイプ１４の接続口１９に延長管１３を接続し、延長管１３先端に床用吸込具１５の吸込具管１５Ａを接続して、先端パイプ１４の把手１２を握り、モーター４の吸引力によって床面上の塵埃を床用吸込具１５から吸込み、吸込具管１５Ａ、延長管１３、先端パイプ１４、ホース８、接続パイプ１１、吸気口１０を介して本体７の集塵室３に配置した集塵袋２内に集塵していく。
【００２６】
次に、ソファーや壁際、カーテン、テーブル上、また、床用吸込具１５が入らない隙間の掃除の時には、吸込具１８の連通管２０から延長管１３を外す。この時、尾錠３１の釦３４を押すと軸３５を支点にして凸部３２が回動して延長管１３の凹部３３から外れ延長管１３を取り外すことが出来る。連通管２０から延長管１３を取り外すと図２に示すように先端パイプ１４の先端に配置した吸込具１８のブラシホルダー２３のブラシ２２が露出するとともにブラシホルダー２３先端部に配置したブラシカバー２４が軸３５を支点にしてフックバネ２６の附勢力によって前方に回動し、リブＡ２７に当接して位置規制され、吸込具１８の吸込口を形成する。前記状態にて直ぐに吸込具１８として使用か可能なる。      
【００２７】
また、ブラシホルダー２３は回動軸Ａ２１近傍に配置したストッパー２８が連通管２０側面に配置した複数のリブＢ２９、リブＣ３０に挟まれて、連通管２０に対して複数の所定の角度を有して位置決めが可能であり、使用状態に合せて任意の角度に設定して使用できるものである。前記任意の設定角度内には図４に示すように先端パイプ１４の把手１２と吸込口が略平行となる設定（連通管２０に対するブラシ２２の角度αを略３０°に設定）があり、被掃除面と連通管２０の角度も略３０°となり把手１２と吸込口が略平行の状態で吸込具を使用することが出来、自然な姿勢で把手１２が移動でき、楽に掃除が行える。  
【００２８】
さらには、ブラシホルダー２３は連通管２０に対して上下に略９０°回転自在で、且つその状態で固定が可能になっていることにより、図５に示すように背の高い家具や他なの上面の掃除模も容易に行うことが出来る。吸込具１８使用状態から延長管１３を接続する場合には、ブラシホルダー２３を連通管２０の軸線上に戻して延長管１３を連通管２０に接続する。この時、図３に示すように吸込口を形成するブラシホルダー２３前部に配置したブラシカバー２４が延長管１３の外郭に当接しながら、軸３５を支点としてブラシホルダー２３の内部に収納され、延長管１３と連通管２０との接続にブラシカバー２４が邪魔になることなく接続が可能になるものである。さらには、図６に示すように延長管１３の外郭側面に設けたブラシホルダー２３のブラシ２２を覆うブラシ収納部３７によってブラシ２２を収納するため、通常使用中にブラシ２２に触れること無く、清潔でかつ、見栄えを損なうことが無い。
【００２９】
また、延長管１３、先端パイプ１４と接続が可能な連通管２０を備えた吸込具１８であるため、使用用途によって延長管１３の先に取付けたり、先端パイプ１４の先に取付けることが可能であり、掃除範囲の拡大が図れるものである。
【００３０】
したがってソファーや壁際などを掃除する時に使用する吸込具１８の取付け、取り外しをする必要がなく、また、塵埃を吸込んだ吸込具１８やブラシ２２に触れること無く、延長管１３の着脱動作や掃除動作と連動して吸込具１８の使用状態、収納状態が選択でき、使用性が著しく向上するとともに清潔で収納性に優れ、かつ、掃除性能の優れた吸込具１８を提供でき、多大な効用を得ることができるものである。
【００３１】
また、吸込具１８使用後に先端パイプ１４部に延長管１３を取付ける状態の説明として、図７に示すようにブラシホルダー２３を連通管２０に対して上側に回動させた状態では、ブラシホルダー２３をそのままの状態で連通管２０に延長管１３を接続させた後、塵埃の付着していないブラシホルダー２３の天面をＡ方向に押して、延長管１３の上方を覆うようにブラシホルダー２３を位置させて収納すれば良く、逆に図８に示すようにブラシホルダー２３を連通管２０に対して下側に回動させた状態では、ブラシホルダー２３をそのままの状態で連通管２０に延長管１３を接続させるように延長管１３を連通管２０の接続口１９を中心として上方（Ｂ方向）に回動してブラシホルダー２３を一緒に押し上げて、延長管１３の上方を覆うようにブラシホルダー２３を位置させて収納すれば、手が汚れる心配が無い。
【００３２】
なお、本実施の形態では、ブラシ付きの吸込具で説明したが、尾錠２８によるブラシホルダー２３の収納時の保持が可能な構成であれば、例えば吸込口先端を絞った隙間ノズル形態でも同様の効果が得られることは言うまでも無い。
【００３３】
また、同様に延長管１３、先端パイプ１４の先端に直接本発明の吸込具１８を配置しても同様の効果が得られることは言うまでも無い。
【００３４】
また、本発明の構成は本実施の形態に限定されるものでは無い。
【産業上の利用可能性】
【００３５】
以上のように、本発明にかかる吸込具は、先端パイプなどへの吸込具の着脱が吸込具に触れること無く、かつ、延長管の着脱における動作、掃除動作の中で容易に行えるとともに吸込具の収納も行え、衛生的で使用性の向上が図れるとともに掃除性能の向上が図れるので非常に有効である。
【図面の簡単な説明】
【００３６】
【図１】本発明の実施の形態１を示す電気掃除機の全体斜視図
【図２】同吸込具の使用状態における要部断面図
【図３】同吸込具の吸込具管接続状態における要部断面図
【図４】同吸込具の実使用状態における要部上面図
【図５】同吸込具での上面掃除使用時における要部側面図
【図６】同吸込具の吸込具管接続状態における要部側面図
【図７】同吸込具に延長管接続時における要部側面図
【図８】同吸込具に延長管接続時における要部側面図
【符号の説明】
【００３７】
１３  延長管（接続管）
１４  先端パイプ
１８  吸込具
２０  連通管
２１  回転軸Ａ
２２  ブラシ（清掃用軟質材）
２３  ブラシホルダー（吸込部材）
２４  ブラシカバー（前壁）
２５  回転軸Ｂ
２６  フックバネ（弾性体）
２９  リブＢ（保持機構）
３０  リブＣ（保持機構）
３７  ブラシ収納部（収納部）
【図１】
2010099165.tif 000003
【図２】
2010099165.tif 000004
【図３】
2010099165.tif 000005
【図４】
2010099165.tif 000006
【図５】
2010099165.tif 000007
【図６】
2010099165.tif 000008
【図７】
2010099165.tif 000009
【図８】
2010099165.tif 000010